(57)【特許請求の範囲】
【請求項１】
板状のベースと、ＬＥＤチップを光源とする発光部を有し前記ベースの第１表面側に配置される発光装置と、前記発光装置を前記ベースに固定するホルダと、前記発光装置の発光面側に配置され前記ベースに取り付けられる透光性のカバー部材とを備え、
前記ホルダは、環状の基部と、該基部の内周から前記ベースに向かって突出する内周壁とを備え、該内周壁は、前記発光部から放射される直接光が前記カバー部材に照射される範囲を制限しており、
前記カバー部材は、前記発光装置に対向して配置され前記発光部からの光を外部に出射させる光出射部と、前記ベースに向かって突出する側壁部と、前記光出射部の外周から連続して形成され前記光出射部と前記側壁部とを連結させる連結部とを備えており、
さらに、前記カバー部材は、前記連結部に、前記発光部から放射された光を散乱させる光散乱部を有し、
前記光出射部は、表面が平滑な平板であることを特徴とするＬＥＤユニット。
【請求項２】
前記光散乱部は、前記発光装置に対向する前記カバー部材の内面または該内面と反対側の外面の少なくとも一方に設けられていることを特徴とする請求項１に記載のＬＥＤユニット。
【請求項３】
請求項１または請求項２に記載の前記ＬＥＤユニットと、該ＬＥＤユニットが取り付けられる器具本体とを備えたことを特徴とする照明器具。
【発明の詳細な説明】
【技術分野】
【０００１】
本発明は、ＬＥＤチップを光源とする発光部を備えたＬＥＤユニットおよびそれを用いた照明器具に関する。
【背景技術】
【０００２】
近年、ＬＥＤユニットを用いた照明器具が利用され始めている。
【０００３】
この種のＬＥＤユニットとしては、ベースと、ＬＥＤチップを具備する発光部を備えた発光装置と、ベースとの間で発光装置を保持するホルダと、ホルダを覆う化粧カバーと、光を透過させるカバーとを有する構造が知られている（たとえば、特許文献１）。
【０００４】
特許文献１のＬＥＤユニットは、環状の化粧カバーが、発光装置から放射される光の配光を制御する反射体としての機能を有している。
【先行技術文献】
【特許文献】
【０００５】
【特許文献１】特開２０１２−１８２１９２号公報
【発明の概要】
【発明が解決しようとする課題】
【０００６】
ところで、ＬＥＤユニットでは、ＬＥＤユニットから放射される光に輝度むらが生ずる場合がある。ＬＥＤユニットは、放射される光の輝度むらのより少ない構成とすることが求められており、更なる改良が求められている。
【０００７】
本発明は上記事由に鑑みて為されたものであり、その目的は、ＬＥＤユニットから放射される光の輝度むらがより少ないＬＥＤユニットおよびそれを用いた照明器具を提供することにある。
【課題を解決するための手段】
【０００８】
本発明のＬＥＤユニットは、ベースと、発光装置と、ホルダと、カバー部材とを備えている。上記ベースは、板状の外形形状をしている。上記発光装置は、上記ベースの第１表面側に配置される。上記発光装置は、ＬＥＤチップを光源とする発光部を有している。上記ホルダは、上記発光装置を上記ベースに固定する。上記カバー部材は、透光性を有しており、上記発光装置の発光面側に配置される。上記カバー部材は、上記ベースに取り付けられる。上記ホルダは、環状の基部と、当該基部の内周から上記ベースに向かって突出する内周壁とを備えている。当該内周壁は、上記発光部から放射される直接光が上記カバー部材に照射される範囲を制限している。上記カバー部材は、光出射部と、側壁部と、連結部とを備えている。上記光出射部は、上記発光装置に対向して配置されている。上記光出射部は、上記発光部からの光を外部に出射させる。上記側壁部は、上記ベースに向かって突出するように構成されている。上記連結部は、上記光出射部の外周から連続して形成されている。上記連結部は、上記光出射部と、上記側壁部とを連結させている。さらに、上記カバー部材は、上記連結部に、上記発光部から放射された光を散乱させる光散乱部を有する。上記光出射部は、表面が平滑な平板であることを特徴とする。
【０００９】
本発明の照明器具は、上述の上記ＬＥＤユニットと、当該ＬＥＤユニットが取り付けられる器具本体とを備えたことを特徴とする。
【発明の効果】
【００１０】
本発明のＬＥＤユニットは、ＬＥＤユニットから放射される光の輝度むらを、より少なくすることが可能となる。
【００１１】
本発明の照明器具は、ＬＥＤユニットから放射される光の輝度むらを、より少なくすることが可能となる。
【図面の簡単な説明】
【００１２】
【図１】実施形態１のＬＥＤユニットを説明する断面図である。
【図２】実施形態１のＬＥＤユニットを示す分解斜視図である。
【図３】実施形態１のＬＥＤユニットを示す正面図である。
【図４】実施形態１のＬＥＤユニットを示す側面図である。
【図５】実施形態１のＬＥＤユニットを示す底面図である。
【図６】実施形態１のＬＥＤユニットを示す斜視図である。
【図７】実施形態１のＬＥＤユニットの要部を示す正面図である。
【図８】実施形態１のＬＥＤユニットの要部を示す背面側の斜視図である。
【図９】実施形態１のＬＥＤユニットと比較する比較例を説明する部分断面図である。
【図１０】実施形態１のＬＥＤユニットを説明する別の断面図である。
【図１１】実施形態１のＬＥＤユニットを説明する別の分解斜視図である。
【図１２】実施形態１のＬＥＤユニットの別の要部を示す正面図である。
【図１３】実施形態１のＬＥＤユニットの他の要部を示す正面図である。
【図１４】実施形態１のＬＥＤユニットを説明する斜視図である。
【図１５】実施形態１のＬＥＤユニットを示す背面側の斜視図である。
【図１６】実施形態１のＬＥＤユニットを用いた照明器具の斜視図である。
【図１７】実施形態１のＬＥＤユニットを用いた照明器具を説明する断面説明図である。
【図１８】実施形態１のＬＥＤユニットを用いた別の照明器具の斜視図である。
【図１９】実施形態１のＬＥＤユニットを用いた別の照明器具を説明する断面図である。
【図２０】実施形態２のＬＥＤユニットを説明する斜視断面図である。
【発明を実施するための形態】
【００１３】
（実施形態１）
以下では、本実施形態のＬＥＤユニット１０について、図１ないし図８、図１０ないし図１５を参照しながら説明する。また、本実施形態のＬＥＤユニット１０を備えた照明器具３０や照明器具３０ｓは、図１６ないし図１９を用いて説明する。図１は、図３のＡＡ断面を示している。図中においては、同じ部材に対し、同じ番号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１４】
本実施形態のＬＥＤユニット１０は、図１ないし図６に示すように、ベース１と、発光装置３と、ホルダ２と、カバー部材９とを備えている。ベース１は、板状の外形形状をしている。発光装置３は、ベース１の第１表面１ａａ側に配置される。発光装置３は、図示していないＬＥＤチップを光源とする発光部３ａを有している。ホルダ２は、発光装置３をベース１に固定する。カバー部材９は、透光性を有しており、発光装置３の発光面側に配置される。カバー部材９は、ベース１に取り付けられる。ホルダ２は、環状の基部２ｍと、基部２ｍの内周からベース１に向かって突出する内周壁２ｇとを備えている。内周壁２ｇは、発光部３ａから放射される直接光がカバー部材９に照射される範囲を制限している。図１では、発光部３ａから放射される直接光の進行方向を一点鎖線の矢印で例示している。ここでは、直接光は、発光部３ａから放射されカバー部材９に直接照射される光をいう。カバー部材９は、光出射部９ｈと、側壁部９ｊと、連結部９ｉとを備えている。光出射部９ｈは、発光装置３に対向して配置されている。光出射部９ｈは、発光部３ａからの光を外部に出射させる。側壁部９ｊは、ベース１に向かって突出するように構成されている。連結部９ｉは、光出射部９ｈの外周から連続して形成されている。連結部９ｉは、光出射部９ｈと、側壁部９ｊとを連結させている。さらに、カバー部材９は、連結部９ｉに、発光部３ａから放射された光を散乱させる光散乱部９ｓを有している。ＬＥＤユニット１０は、図１、４、５において、説明を明確にするために光散乱部９ｓを誇張して図示している。
【００１５】
本実施形態のＬＥＤユニット１０は、カバー部材９が連結部９ｉに、発光部３ａから放射された光を散乱させる光散乱部９ｓを有していることで、ＬＥＤユニット１０から放射される光の輝度むらを、より少なくすることが可能となる。
【００１６】
以下では、本実施形態のＬＥＤユニット１０の構成について、より具体的に説明する。
【００１７】
ＬＥＤユニット１０は、円板状のベース１と、ベース１に設けられたスペーサ６とを有している。スペーサ６は、中央に円形形状の開口部６ｂを備えた環形形状としている。スペーサ６は、スペーサ６の外形をベース１の外形よりも、若干小さい形状としている。ベース１は、スペーサ６を収納配置するための凹所１ｅを備えている。ベース１は、第１表面１ａａ側において、凹所１ｅの内底面の中央部から突出する突台部１ｆを備えている。突台部１ｆは、平面視において円形状に形成されている。突台部１ｆは、スペーサ６の開口部６ｂから露出するように設けられている。突台部１ｆは、先端面１ｆａに発光装置３を載せ置くことが可能としている。発光装置３は、図示していない放熱グリスを介して、先端面１ｆａに当接させることができる。発光装置３は、給電用の電線４と端子部３ｃで電気的に接続されている。凹所１ｅの内底面には、矩形状の発光装置３の短手方向の両側において、第１ボス１ｒが突出している。第１ボス１ｒは、孔１ｄが形成されている。孔１ｄは、ホルダ２をベース１に取り付けるための組立ねじ２３ｄを挿通させる。ＬＥＤユニット１０は、発光装置３の長手方向の両側に第１ボス１ｒが配置される場合に比べて、ホルダ２の内周壁２ｇを小さくすることができる。
【００１８】
ベース１は、ＬＥＤユニット１０の外部へ電線４を導出するため、ベース１の周部に切り欠き部１ｃを備えている。切り欠き部１ｃは、ＬＥＤユニット１０の外部へ導出する電線４の方向を、ベース１の厚み方向に沿った方向と、ベース１の第２表面１ａｂに沿った方向との間で変更させることができる。すなわち、ＬＥＤユニット１０は、切り欠き部１ｃから導出した電線４を、ベース１の厚み方向に沿った方向と、ベース１の第２表面１ａｂに沿った方向との間で任意の方向に導出することが可能に構成されている。また、切り欠き部１ｃは、切り欠き部１ｃから導出した電線４をベース１の厚み方向に沿った方向へ導出した場合、電線４がベース１の外周よりも内側に配置されるように形成されている。
【００１９】
ベース１は、円形状としているが、これに限らず、たとえば、多角形状であってもよいし、楕円形状であってもよい。ベース１は、多角形状として、矩形状とする場合、正方形状や長方形状に形成させてもよい。ベース１は、たとえば、アルミダイキャスト製とし、突台部１ｆを一体的に備えることができる。ベース１は、アルミニウムを用いるだけに限らず、樹脂に比べて熱伝導性の高い材料として、たとえば、銅やステンレスなどの金属材料により形成してもよい。突台部１ｆは、ベース１と一体的に形成する場合だけでなく、ベース１と別体に形成してもよい。ＬＥＤユニット１０は、ベース１を樹脂に比べて熱伝導性の高いアルミニウムにより形成している場合、発光装置３で発生した熱を、ベース１の突台部１ｆを通して外部に、より効率よく放熱することが可能となる。
【００２０】
ホルダ２は、図７に示すように、平面視において、環状に形成することができる。ホルダ２は、環状の中央部の窓孔部２ａから発光装置３の発光部３ａを露出させる。窓孔部２ａを形成する内周壁２ｇは、環状の基部２ｍの内周からベース１に向かって突出する構成としている。内周壁２ｇは、発光装置３の光軸方向において、発光装置３から離れるにつれ開口面積が徐々に大きくなるように形成していることが好ましい。内周壁２ｇの壁端部２ｅは、図１および図８に示すように、発光装置３を押圧し、ホルダ２とベース１との間で発光装置３を保持することができるように構成している。ホルダ２は、ベース１とカバー部材９との間に配置される。ホルダ２は、カバー部材９の本体部９ａに収納配置される。ＬＥＤユニット１０は、カバー部材９の透光性をより高めても、ホルダ２をベース１に固定する組立ねじ２３ｄや電線４がＬＥＤユニット１０の外部から見えることを、非透光性のホルダ２を用いることで、より抑制することができる。
【００２１】
また、ＬＥＤユニット１０は、ホルダ２により、切り欠き部１ｃから光が漏れることを抑制することを可能としている。ＬＥＤユニット１０は、切り欠き部１ｃから漏れる光により生ずる輝度むらを抑制し、ＬＥＤユニット１０の照射面での均斉度の低下を抑制することも可能となる。
【００２２】
ホルダ２は、発光装置３の端子部３ｃと電気的に接続された電線４を収納する空間２ｂを、ベース１側に設けている。また、ホルダ２は、ベース１との間で所定の空間２ｂが維持できるように、ベース１に向かって突出する複数の第２ボス２ｐを備えていることが好ましい。ホルダ２は、ベース１の孔１ｄに対応する部位に取付部２ｄを備えている。取付部２ｄは、ホルダ２の背面側から挿通された組立ねじ２３ｄがねじ込まれる。
【００２３】
ホルダ２は、たとえば、熱可塑性の樹脂により形成することができる。ホルダ２は、熱可塑性の樹脂として、ＰＢＴ（poly butylene terephthalate）樹脂を用いることができる。ホルダ２は、樹脂材料に白色顔料を含有させて形成してもよい。ホルダ２は、内周壁２ｇで発光部３ａからの光を反射できるように第１反射面２ｇａを有している。第１反射面２ｇａは、内周壁２ｇの表面をそのまま利用してもよいし、内周壁２ｇの表面に金属膜を形成することにより構成してもよい。ホルダ２は、光を反射する機能を備えることにより、発光装置３からの光を有効利用できる。ホルダ２は、内周壁２ｇに第１反射面２ｇａを有することで、別部品を追加することなく、発光装置３から放射される光の配光を制御することができる。ホルダ２は、内周壁２ｇの形状や内周壁２ｇと発光部３ａとの相対的な位置を適宜に設定することで、発光部３ａから放射される直接光が有底円筒状のカバー部材９に照射される範囲を所定の範囲に調整することができる。ホルダ２は、基部２ｍの外周からベース１に向かって突出する外周壁２ｆを備えている。外周壁２ｆは、電線４を外部に導出する導出部２ｃを有している。ホルダ２は、内周壁２ｇと基部２ｍと外周壁２ｆとで囲まれた内部が、電線４を導出部２ｃに導く通路を構成している。
【００２４】
導出部２ｃは、外周壁２ｆに設けた開口部位２ｃ１と、開口部位２ｃ１を覆うように外周壁２ｆから突出させた部位２ｃ２とを備えた構成とすることができる。導出部２ｃは、ベース１の切り欠き部１ｃに対応する位置に配置される。導出部２ｃは、カバー部材９の鍔部９ｂに設けた第１スリット９ｆに嵌め合わせることができる構成としている。ＬＥＤユニット１０は、第１スリット９ｆを有していることで、電線４がベース１の第１表面１ａａ側に曲げられて取り付される場合でも、電線４によるカバー部材９の変形を抑制し、光学的な影響を低減させることも可能となる。また、ＬＥＤユニット１０は、導出部２ｃを第１スリット９ｆに嵌めることによって、カバー部材９の位置合わせを行うことが容易となる。ＬＥＤユニット１０は、第１スリット９ｆから導出部２ｃが露出していることで、電線４の位置を知らせる目印とすることができる。ＬＥＤユニット１０は、電線４が折り曲げられて正面側から見えない場合、目印を有することで、組み立ての作業性を向上させることも可能となる。
【００２５】
ホルダ２は、電線４の応力を、より緩和できるように、導出部２ｃが弾性変形可能であることが好ましい。ホルダ２は、導出部２ｃが弾性変形可能な場合、電線４の曲りに伴うホルダ２の窓孔部２ａの形状変形を抑制することが可能となる。さらに、ＬＥＤユニット１０は、電線４がホルダ２側に折り曲がる曲り量が大きい場合でも、導出部２ｃの破損を抑制することも可能となる。ホルダ２は、電線４がホルダ２側に変位した際に力を受ける導出部２ｃと発光装置３の中心とを結ぶ仮想の線分上に、取付部２ｄを設けることが好ましい。ＬＥＤユニット１０は、ホルダ２側に電線４が変位した際に力を受ける導出部２ｃと、発光装置３の中心とを結ぶ仮想の線分上に取付部２ｄを設けていることで、電線４の曲げ応力が直接的に発光装置３に掛かり難い構造としている。これにより、ＬＥＤユニット１０は、発光装置３に掛かる応力をより低減し、ＬＥＤユニット１０の信頼性を高めることが可能となる。
【００２６】
発光装置３は、複数個のＬＥＤチップを具備する発光部３ａと、発光部３ａが形成される実装基板３ｂとを備えた構成としている。発光部３ａは、複数個のＬＥＤチップと、ＬＥＤチップを覆う封止部３ｄとを有していることが好ましい。発光部３ａは、複数個のＬＥＤチップを電気的に直列接続しているが、並列接続してもよいし、直並列接続してもよい。発光部３ａは、複数個のＬＥＤチップの配列方向に沿ってライン状に形成することができる。発光装置３は、複数の発光部３ａを平行に並べて構成している。図２に示す発光装置３では、６個の発光部３ａを備えている。発光部３ａは、ＬＥＤチップに、青色ＬＥＤチップを用いることができる。発光部３ａは、封止部３ｄの透光性封止材料に、青色ＬＥＤチップから放射される青色光により励起されてブロードな黄色光を放射する黄色蛍光体からなる蛍光体を混合することができる。発光部３ａは、青色ＬＥＤチップから放射される青色光と、黄色蛍光体から放射される黄色光との混色により白色光を得る白色ＬＥＤを構成することができる。ここで、透光性封止材料は、たとえば、シリコーン樹脂、エポキシ樹脂、ガラスなどを用いることができる。発光部３ａの蛍光体は、黄色蛍光体に限らず、たとえば、赤色蛍光体と緑色蛍光体とを用いてもよい。また、発光部３ａは、近紫外ＬＥＤチップと、赤色蛍光体、緑色蛍光体および青色蛍光体とを組み合わせて、白色光が発光可能な白色ＬＥＤを構成してもよい。さらに、発光部３ａは、赤色ＬＥＤチップと緑色ＬＥＤチップと青色ＬＥＤチップとを組み合わせて、白色光が発光可能な白色ＬＥＤを構成してもよい。
【００２７】
実装基板３ｂは、たとえば、金属ベースプリント配線板を用いて形成することができる。実装基板３ｂは、ＬＥＤチップと電気的に接続された端子部３ｃを備えている。端子部３ｃは、所定の形状に形成した導体により構成されている。実装基板３ｂは、金属ベースプリント配線板だけに限らず、たとえば、セラミック基板、ガラスエポキシ基板などを用いて形成してもよい。また、端子部３ｃは、図示していないが半田からなる接合部により、電線４と電気的に接続する。ＬＥＤユニット１０は、一対の電線４，４のうち、一方の電線４が発光装置３のプラス側（図２の紙面の右側）の端子部３ｃに接続されている。また、ＬＥＤユニット１０は、他方の電線４が発光装置３のマイナス側（図２の紙面の左側）の端子部３ｃに接続されている。実装基板３ｂは、電線４の誤接続を防止するために、プラス側の端子部３ｃ、マイナス側の端子部３ｃそれぞれの近傍に極性を示す“＋”、“−”を表記してある。ＬＥＤユニット１０は、給電用の電線４として、発光装置３と電気的に接続されるリード線を用いている。ＬＥＤユニット１０は、リード線を保護する被覆カバー４ｅを適宜に備えることが好ましい。実装基板３ｂは、一表面側（図２の紙面の上側）に、発光部３ａおよび端子部３ｃ以外の部位を覆う白色のレジスト層などからなる反射層を形成していることが好ましい。反射層は、発光部３ａから放射された光が実装基板３ｂに吸収されるのを抑制することができる。実装基板３ｂは、放熱グリスを介して先端面１ｆａに当接させる場合、実装基板３ｂや先端面１ｆａの表面に凹凸があっても、効率よく熱伝導させることができる。
【００２８】
放熱グリスは、たとえば、シリコーン樹脂中に金属粒子やセラミックス粒子を含有した構成とすることができる。放熱グリスは、実装基板３ｂと突台部１ｆとの密着性を高めることができる。ＬＥＤユニット１０は、放熱グリスを用いることで、発光装置３で生じた熱をベース１に効率よく熱伝導させることができる。ＬＥＤユニット１０は、放熱グリスを用いる場合だけでなく、発光装置３とベース１との間に放熱シートを設けてもよい。
【００２９】
放熱シートは、電気絶縁性と熱伝導性に優れ、弾性力を有するエラストマー材料を用いることができる。放熱シートは、たとえば、シリコーンゲルシートを使用することができる。シリコーンゲルシートは、ゲル状で架橋密度が低いシリコーン樹脂を用いて構成されている。放熱シートは、シリコーンゲルシートだけでなく、アクリル樹脂材料を用いてもよい。また、放熱シートは、粘着性を備えさせ接着シートとして機能させてもよい。
【００３０】
スペーサ６は、スペーサ６の開口部６ｂの周りに、実装基板３ｂを収容する矩形状の収容部６ｇを備えている。スペーサ６は、発光装置３の実装基板３ｂを収容部６ｇに載せ置くことが可能としている。収容部６ｇは、ＬＥＤユニット１０の組立途中に振動などが加わっても、発光装置３がスペーサ６との間で位置ずれが生ずることを抑制できる。スペーサ６は、ベース１と一体に構成してもよいし、別体に構成してもよい。スペーサ６は、ベース１と別体に構成する場合、たとえば、熱可塑性の樹脂により形成することができる。スペーサ６は、熱可塑性の樹脂として、たとえば、ＰＢＴ樹脂を用いることができる。スペーサ６は、樹脂材料により形成することで、複雑な形状を比較的簡単に形成することができる。スペーサ６は、ベース１と発光装置３との電気絶縁性を高めることができる。収容部６ｇは、発光装置３の厚み、発光装置３の大きさや形状に合わせて、形状や深さを適宜に設定すればよい。スペーサ６は、ベース１の第１ボス１ｒと嵌め合わせ可能な孔部６ｄを有している。孔部６ｄは、矩形状の収容部６ｇにおける長手方向に沿って、長手方向の中央部に設けている。
【００３１】
スペーサ６は、表面６ａａから第１リブ６ｈａ、第２リブ６ｈｂ、第３リブ６ｈｃおよび第４リブ６ｈｄが突出している。スペーサ６は、第１リブ６ｈａ、第２リブ６ｈｂ、第３リブ６ｈｃおよび第４リブ６ｈｄが、ベース１の切り欠き部１ｃ側に配置されるように凹所１ｅに載せ置かれる。スペーサ６は、一方の電線４を第１リブ６ｈａと第３リブ６ｈｃとの間で挟み持つことができるように構成している。また、スペーサ６は、他方の電線４を第２リブ６ｈｂと第４リブ６ｈｄとの間で挟み持つことができるように構成している。スペーサ６は、第１リブ６ｈａ、第２リブ６ｈｂ、第３リブ６ｈｃおよび第４リブ６ｈｄを１組として、開口部６ｂを介して対向する位置にもう１組備えていることが好ましい。これによりＬＥＤユニット１０は、スペーサ６をベース１に対して１８０°回転させても、ベース１の凹所１ｅにスペーサ６を載せ置くことが可能となり、ベース１の凹所１ｅにスペーサ６を載せ置く際の作業性を向上させることができる。
【００３２】
ＬＥＤユニット１０は、発光装置３に電気的に接続された電線４を、スペーサ６において保持することによって、別部品を追加することなく、電線４の張力止め機能を付与することが可能となる。言い換えれば、ＬＥＤユニット１０は、電線４に作用する張力を低減するための別部品が不要であり、低コストで電線４の張力止め機能を付与することが可能となる。また、ＬＥＤユニット１０は、電線４に作用する張力を低減することができるので、電線４と発光装置３の端子部３ｃとを接合する接合部に応力が作用して断線するのを抑制することができる。
【００３３】
カバー部材９は、発光装置３を保護することができる。カバー部材９は、発光装置３から放射された光を効率よく透過させる透光性を有している。カバー部材９は、たとえば、ポリカーボネート樹脂、アクリル樹脂やガラスなどの透光性材料により形成することができる。カバー部材９は、図２に示すように、全体として有底円筒状の形状をしている。カバー部材９は、本体部９ａと、鍔部９ｂとを有している。本体部９ａは、有底円筒状の外形形状をしている。本体部９ａは、ベース１側が開口され、ベース１の外周線よりも内側に配置された発光装置３を覆うように構成している。鍔部９ｂは、本体部９ａの周部９ｄから外方へ延びるように形成されている。鍔部９ｂは、ベース１の外周を覆うことができるように形成している。カバー部材９は、本体部９ａおよび鍔部９ｂの全体が透光性を備えている。本体部９ａは、光出射部９ｈと、側壁部９ｊと、連結部９ｉとで構成している。光出射部９ｈは、ベース１から離れて設けられ、円形状の平板に形成されている。光出射部９ｈは、発光部３ａからの光を外部へ出射させることができる。光出射部９ｈは、表面が平滑な平板に形成させることで、発光部３ａからの光を効率よく外部に出射させることができる。側壁部９ｊは、光出射部９ｈ側からベース１側に向けて内径が徐々に大きくなる円錐台筒状に形成されている。連結部９ｉは、光出射部９ｈと側壁部９ｊとを全体として滑らかに連続するように形成させている。本体部９ａは、光出射部９ｈと連結部９ｉと側壁部９ｊの厚みを略同一として形成している。
【００３４】
光出射部９ｈは、表面が平滑な平板の形状とするだけに限られず、凸レンズ形状、凹レンズ形状やフレネルレンズ形状など種々のレンズ形状に形成させてもよい。すなわち、カバー部材９は、発光装置３からの光を集光や拡散させるため、光出射部９ｈにレンズ機能を備えた構成としてもよい。カバー部材９は、同心円状の複数のレンズを有するフレネルレンズで構成することにより、凸レンズで構成する場合と比較して光出射部９ｈの厚みを薄くすることができる。
【００３５】
カバー部材９は、側壁部９ｊに突部９ｋを有している。突部９ｋは、光出射部９ｈの厚み方向において、発光装置３に向かうにつれ外方に広がる形状に形成されている。突部９ｋは、図１に示すように、ホルダ２の基部２ｍよりも光出射部９ｈ側に設けている。カバー部材９の鍔部９ｂは、ベース１を覆って固定している。ＬＥＤユニット１０は、カバー部材９全体が透光性を有する場合、図示していないが、発光装置３の発光面側から見てベース１における鍔部９ｂの投影面を覆うようにスペーサ６を形成していてもよい。
【００３６】
ところで、ＬＥＤユニットでは、白熱電灯や蛍光灯などの光源と比較して、ＬＥＤチップを光源とする発光部３ａから放射される光の直進性が強く、ＬＥＤユニットから放射される光に輝度むらが生じやすい傾向にある。以下では、図９において、本実施形態と比較する比較例のＬＥＤユニットから放射される光の輝度むらについて詳述する。
【００３７】
比較例のＬＥＤユニットは、ホルダ２の内周壁２ｇで発光部３ａからの光を反射させて、発光装置３からの光を有効利用している。そのため、比較例のＬＥＤユニットでは、内周壁２ｇは、発光部３ａから放射される直接光がカバー部材９に照射される範囲を制限している。比較例のＬＥＤユニットでは、カバー部材９は、円形状の平板の光出射部９ｈと円筒状の側壁部９ｊとを連結部９ｉで連結させ、連続的に滑らかな曲面を有する内面９ａｂと外面９ａａとを構成している。言い換えれば、比較例のＬＥＤユニットは、本実施形態と光散乱部９ｓを備えていない以外は同様にして形成させている。比較例のＬＥＤユニットは、発光部３ａからの光を光出射部９ｈから効率よく光を取り出すことができる。また、比較例のＬＥＤユニットは、発光部３ａからの光を側壁部９ｊから取り出すことで、光出射部９ｈから側壁部９ｊにかけて徐々に光の輝度を低下させることができる。
【００３８】
しかしながら、比較例のＬＥＤユニットでは、図９の断面視において、表面が直線的な光出射部９ｈと、表面が曲線的な連結部９ｉとが連結される連結部位の境界近傍で変曲点が構成される。同様に、比較例のＬＥＤユニットでは、断面視において、表面が曲線的な連結部９ｉと、表面が直線的な側壁部９ｊとが連結される連結部位の境界近傍で変曲点が構成される。比較例のＬＥＤユニットでは、発光部３ａから放射される平行な直接光が変曲点で屈折させられ照射面側で交差することで輝度むらを生じる虞がある。図９では、一点鎖線の矢印で発光部３ａからの光を例示している。
【００３９】
本実施形態のＬＥＤユニット１０では、カバー部材９は、連結部９ｉに発光部３ａから放射される光を散乱させる光散乱部９ｓを有している。光散乱部９ｓは、たとえば、連結部９ｉの表面に形成した凹凸とすることができる。凹凸のピッチや深さは、数μｍないし数十μｍの大きさに適宜に形成させることができる。凹凸は、連続する凹凸のピッチや深さを同一としてもよいし、変曲点近傍が変曲点近傍以外よりも大きくなるような形状としてもよい。光散乱部９ｓは、たとえば、連結部９ｉの表面にシボ加工を施すために、エッチング処理、ブラスト処理や研磨処理などが利用される。光散乱部９ｓは、シボ加工などの微細加工を連結部９ｉに施して形成させる場合、微細加工する方法として、たとえば、Ｖ溝加工、球面加工、非球面加工やドット加工などが挙げられる。光散乱部９ｓは、カバー部材９を形成させた後に、微細加工を施して形成されてもよいし、射出成形などによりカバー部材９を形成する場合、カバー部材９の成形と同時に形成されてもよい。
【００４０】
連結部９ｉをシボ加工した光散乱部９ｓとしては、たとえば、梨地、皮革（ウロコ）、木目、岩目、砂目、布地模様、幾何学模様やヘアライン模様などとすることができる。
【００４１】
本実施形態のＬＥＤユニット１０は、連結部９ｉよりも光出射部９ｈの光拡散性を低くすることで、発光部３ａからの光を効率よく光出射部９ｈから出射させることができる。ＬＥＤユニット１０は、連結部９ｉに光散乱部９ｓを備えることで、ＬＥＤユニット１０全体の発光効率が低下することを抑制しつつ、照射面側の輝度むらの発生を抑制することが可能となる。
【００４２】
光散乱部９ｓは、発光装置３に対向するカバー部材９の内面９ａｂまたは内面９ａｂと反対側の外面９ａａの少なくとも一方に設けられていることが好ましい。
【００４３】
ＬＥＤユニット１０は、たとえば、カバー部材９の内面９ａｂに凹凸の光散乱部９ｓを設けることで、射出成形の金型からの離型時に金型を構成するコアプレートの離型抵抗とすることができる。ＬＥＤユニット１０は、カバー部材９の内面９ａｂに凹凸の光散乱部９ｓを設ける場合、コアプレートと対向するキャビティプレートの内部にカバー部材９が残り、金型からカバー部材９を取り出しにくくなることを抑制することが可能となる。すなわち、ＬＥＤユニット１０では、カバー部材９を射出成形により形成する場合、カバー部材９の内面９ａｂに光散乱部９ｓを設けることで、カバー部材９を安定的に量産性よく形成することが可能となる。また、ＬＥＤユニット１０は、カバー部材９の外面９ａａに光散乱部９ｓを設けることで、カバー部材９を把持する場合のグリップ力を向上させて、ＬＥＤユニット１０の組立や設置時における作業性を向上させることが可能となる。さらに、ＬＥＤユニット１０は、カバー部材９の内面９ａｂと外面９ａａの両方に光散乱部９ｓを設けることで、カバー部材９の内面９ａｂ、或いは外面９ａａのいずれか一方だけに光散乱部９ｓを備えた構造と比較して、輝度むらをより改善することが可能となる。また、ＬＥＤユニット１０は、カバー部材９の内面９ａｂと外面９ａａの両方に光散乱部９ｓとして凹凸を設ける場合、カバー部材９の外面９ａａよりもカバー部材９の内面９ａｂの凹凸を大きくする方が好ましい。ＬＥＤユニット１０は、射出成形の金型からの離型時にコアプレートへの離型抵抗となるので、カバー部材９の外面９ａａよりもカバー部材９の内面９ａｂの凹凸を大きくすることで、金型からカバー部材９を取り出しにくくなることを抑制することが可能となる。
【００４４】
光散乱部９ｓは、カバー部材９の内面９ａｂや外面９ａａに形成させる場合だけでなく、連結部９ｉの内部に形成させてもよい。カバー部材９は、光散乱部９ｓを連結部９ｉの内部に形成させる場合、連結部９ｉに光散乱粒子を含有させることができる。光散乱粒子としては、たとえば、二酸化ケイ素、チタン酸バリウムや酸化チタンなどが挙げられる。光散乱粒子は、カバー部材９の材質との屈折率差を生じさせるものであれば、無機材料だけでなく、有機材料で構成してもよい。カバー部材９は、多色成形を利用することで、カバー部材９のうち、連結部９ｉのみ、或いは連結部９ｉと側壁部９ｊとにのみ、光散乱粒子を含有させることもできる。光散乱部９ｓは、材質、形状や平均粒径などが異なる種類の光散乱粒子を用いてもよい。また、カバー部材９は、適宜のレーザ光を照射することで、内部に空洞を形成することができる。カバー部材９は、内部に複数の空洞を形成させることで、カバー部材９の材質と空洞との屈折率差を利用して発光部３ａからの光を散乱させることができる。カバー部材９は、適宜にレーザ光を照射させて、連結部９ｉの内部、連結部９ｉの内部と側壁部９ｊの内部との両方に光散乱部９ｓを形成させてもよい。
【００４５】
ＬＥＤユニット１０は、図１０に示すように、ベース１の周部から外方に突出する突出部１ｂを備えている。突出部１ｂは、ベース１の厚み方向に貫通する挿通孔１ｂ１を備えている。突出部１ｂは、たとえば、図１１に示すように、取付ねじ１０ａをベース１の第１表面１ａａ側から挿通孔１ｂ１に挿通させ、後述する図１６の照明器具３０の器具本体３１にＬＥＤユニット１０を着脱自在に取り付けるために用いることができる。ＬＥＤユニット１０は、ベース１の突出部１ｂに対応する鍔部９ｂの部位に、カバー部材９の外面９ａａ側から取付ねじ１０ａを挿通させ易くする第２スリット９ｃを設けていることが好ましい。これにより、ＬＥＤユニット１０は、ベース１をカバー部材９側から照明器具３０の器具本体３１に着脱自在に取り付けることが可能となる。
【００４６】
ＬＥＤユニット１０は、電線４においてベース１の切り欠き部１ｃから導出した先端部に第１コネクタ４ａを設けていることが好ましい。第１コネクタ４ａは、図示していないが電源ユニットに電気的に接続されている電源線の先端部に設けられた電源ユニット側の第２コネクタと着脱自在に接続することができる。したがって、ＬＥＤユニット１０は、電線４の先端部に、電源ユニット側の第２コネクタと着脱自在に接続可能な第１コネクタ４ａが設けられているので、器具本体３１へのＬＥＤユニット１０の着脱時の作業性を向上させることができる。また、ＬＥＤユニット１０は、電線４の先端部に第１コネクタ４ａが設けられるとともに、ベース１をカバー部材９側から照明器具３０の器具本体３１に着脱自在に取り付けることができる。これにより、ユーザは、比較的簡単にＬＥＤユニット１０を交換することが可能となる。
【００４７】
ＬＥＤユニット１０は、鍔部９ｂを覆う化粧カバー２１を備えていることが好ましい。化粧カバー２１は、カバー開口２１ａを備えた環状に形成されている。ＬＥＤユニット１０は、化粧カバー２１により、カバー部材９を通して各取付ねじ１０ａ，１０ａが見えるのを防止することが可能となり、外観の意匠性を高めることが可能となる。
【００４８】
化粧カバー２１は、たとえば、弾性を有するシリコーン樹脂を用いて形成することができる。化粧カバー２１は、弾性を有することにより、カバー開口２１ａの開口径を拡げてカバー部材９の突部９ｋを挿通させ、鍔部９ｂ側の側壁部９ｊに設けられた保持部９ｍで保持される。また、化粧カバー２１は、弾性を有することで、カバー部材９と比較的簡単に着脱することができる。化粧カバー２１は、たとえば、黒や白色に着色することで、取付ねじ１０ａが外部から見え難くすることができる。化粧カバー２１は、たとえば、シリコーン樹脂に拡散材を含有させることで乳白色に形成することもできる。化粧カバー２１は、完全な遮光性を有してもよいし、透光性を有してもよい。化粧カバー２１は、カバー部材９の突部９ｋから放射された光が表面で反射できるように構成してもよい。ＬＥＤユニット１０は、化粧カバー２１により、カバー部材９の側壁部９ｊから出射される光の照射面での均斉度を、より高めることも可能となる。
【００４９】
以下では、上述のＬＥＤユニット１０の組立工程について、説明する。
【００５０】
まず、ＬＥＤユニットの組立工程では、ベース１の凹所１ｅにスペーサ６を載せ置く。ベース１は、スペーサ６の開口部６ｂにより突台部１ｆが露出する。次に、組立工程では、突台部１ｆ上に放熱グリスを塗布する。ＬＥＤユニット１０の組立工程では、発光装置３が突台部１ｆに載せれるように、スペーサ６の収容部６ｇに発光装置３を収容する。
【００５１】
次に、ＬＥＤユニット１０の組立工程では、図１２に示すように、一方の電線４をスペーサ６の第１リブ６ｈａと第３リブ６ｈｃとの間で挟み持たせ、他方の電線４を第２リブ６ｈｂと第４リブ６ｈｄとの間で挟み持たせる。電線４と実装基板３ｂの端子部３ｃとは、半田などの接合部で電気的に接続させる。続いて、組立工程では、図１３に示すように、ホルダ２を発光装置３に被せ、ホルダ２の窓孔部２ａから発光装置３の発光部３ａを露出させる。電線４は、ホルダ２の空間２ｂを利用した通路により、導出部２ｃまで引き回している。
【００５２】
そして、ＬＥＤユニット１０の組立工程においては、組立ねじ２３ｄをベース１の第２表面１ａｂ側からベース１の孔１ｄに挿通し、スペーサ６の孔部６ｄを介して、ホルダ２の取付部２ｄにねじ止めさせる。ＬＥＤユニット１０は、組立ねじ２３ｄのねじ止めにより、ベース１とホルダ２とで発光装置３を挟み込んで固定する。ＬＥＤユニット１０は、組立ねじ２３ｄをホルダ２の取付部２ｄにねじ止めさせる際に発光装置３にかかる応力を、放熱グリスにより緩和できるので、発光装置３に不要な応力がかかることを抑制することが可能となる。その後、ホルダ２の外周壁２ｆから突出した導出部２ｃと、カバー部材９に設けた第１スリット９ｆとの位置を合わせて、カバー部材９とホルダ２の導出部２ｃとを嵌め合わせることによりカバー部材９をベース１側に配置する。
【００５３】
次に、組立工程では、ベース１側に配置したカバー部材９を、ベース１に固定して取り付ける。カバー部材９は、予め射出成形により、連結部９ｉに光散乱部９ｓを形成させている。また、カバー部材９は、図１４に示すように、本体部９ａの周部９ｄからベース１側に突出する第３ボス９ｇ１を有している。第３ボス９ｇ１は、たとえば、円柱状に形成することができる。カバー部材９は、たとえば、本体部９ａの周部９ｄに沿って４個の第３ボス９ｇ１を設けている。ベース１には、カバー部材９の第３ボス９ｇ１に対応して、第３ボス９ｇ１を貫通させる貫通孔１ｐが設けられている。
【００５４】
カバー部材９をベース１に取り付ける場合、カバー部材９の第３ボス９ｇ１をベース１の貫通孔１ｐに挿通させる。次に、第３ボス９ｇ１の先端部は、ベース１の第２表面１ａｂ側から図示していない加工治具により、加熱しながら押圧される。加工治具は、表面が窪んだ曲面を備えており、第３ボス９ｇ１の先端部を熱変形させてベース１の貫通孔１ｐよりも広げる。第３ボス９ｇ１は、最終的には加工治具の曲面に応じた半球状の形状となる。
【００５５】
ＬＥＤユニット１０は、第３ボス９ｇ１の先端部の熱変形により、カバー部材９がベース１にかしめられる。ベース１の第２表面１ａｂには、図１５に示すように、第３ボス９ｇ１の先端部の熱変形により、かしめ部９ｇが形成される。ベース１は、かしめ部９ｇを収納する収納部１ｊを備えている。収納部１ｊは、ベース１の第２表面１ａｂからかしめ部９ｇが突出しない深さ寸法が設定されている。ＬＥＤユニット１０は、かしめ部９ｇにより、カバー部材９とベース１とを固定することができる。
【００５６】
ＬＥＤユニット１０の組立工程では、かしめ部９ｇによって、ベース１にカバー部材９が取り付けられる構造だけでなく、組立ねじなどを用いて、ベース１に取り付けられてもよい。また、ＬＥＤユニット１０の組立工程では、封止材によって、ベース１にカバー部材９が取り付けられてもよい。ＬＥＤユニット１０は、図示していない封止材を用いて、ベース１とカバー部材９とを固定することで、ＬＥＤユニット１０内への水分や不純物などの侵入を抑制する構成とすることもできる。ＬＥＤユニット１０は、かしめ部９ｇを用いてカバー部材９をベース１に固定する場合、ねじを用いて固定する構成と比較して、カバー部材９の歪みに起因する配光特性の劣化や均斉度の低下を抑制することができる。ＬＥＤユニット１０は、かしめ部９ｇにより、カバー部材９をベース１に対してねじを用いることなく取り付けることが可能となるので、カバー部材９における、ねじの緩みなどの懸念をなくすことが可能となる。
【００５７】
こうして組み立てられたＬＥＤユニット１０を備える照明器具３０や照明器具３０ｓについて、図１６ないし図１９を参照しながら説明する。
【００５８】
図１６に示す照明器具３０は、上述のＬＥＤユニット１０と、ＬＥＤユニット１０が着脱自在に取り付けられた器具本体３１とを備えている。照明器具３０は、器具本体３１を金属製としてあるので、樹脂製の場合に比べて、ＬＥＤユニット１０の発光装置３で発生した熱を、ベース１および器具本体３１を通して効率よく放熱させることが可能となる。器具本体３１の材料としては、アルミニウムを採用しているが、アルミニウム以外の金属を採用してもよい。器具本体３１は、アルミニウム以外の金属材料として、たとえば、銅や銅合金を用いることができる。また、器具本体３１の材料は、金属以外の材料でもよい。器具本体３１は、金属以外の材料として、たとえば、セラミックスなどを用いることができる。
【００５９】
器具本体３１は、ＬＥＤユニット１０を着脱が自在に取り付けることができるように構成されている。具体的に説明すると、器具本体３１は、ベース１の挿通孔１ｂ１の各々に対応する部位に、取付ねじ１０ａを螺合する取付ねじ孔（図示せず）を形成している。
【００６０】
図１６および図１７に示した構成の照明器具３０は、たとえば、天井材５０ａに埋め込み配置されるダウンライトである。照明器具３０の器具本体３１は、ＬＥＤユニット１０が収納配置される有底円筒状のボディ部３１ａと、ボディ部３１ａの開口部から外方へ延びるように形成された外鍔部３１ｂとを有する。また、照明器具３０は、器具本体３１に取付ばね３１ｄを備えている。器具本体３１は、天井材５０ａに貫設された埋込穴５０ａａに埋め込まれ、外鍔部３１ｂが天井材５０ａの下面における埋込穴５０ａａの周部に当接する形で天井材５０ａに取り付けられる。照明器具３０は、天井材５０ａにおける埋込穴５０ａａの周部を、外鍔部３１ｂと、取付ばね３１ｄとの間で挟み持つことができるように構成されている。器具本体３１は、底部３１ｃのＬＥＤユニット１０が配置された表面と反対側に収納配置部３１ｅを備えている。収納配置部３１ｅは、図示していない電源ユニットを収納することができる。器具本体３１は、必ずしも収納配置部３１ｅを備える必要はなく、電源ユニットを器具本体３１から離して配置してもよい。底部３１ｃは、図示していない引出孔を備えている。照明器具３０は、導出部２ｃから外部に導出した電線４および第１コネクタ４ａを、引出孔を介して収納配置部３１ｅ内へ引き出すことができるように構成されている。照明器具３０は、壁材５０ｂの近傍に配置された場合、壁材５０ｂの壁表面５０ｂａがＬＥＤユニット１０から出射された光の照射面の一部となる。
【００６１】
図１６の照明器具３０は、ＬＥＤユニット１０と、ＬＥＤユニット１０が着脱自在に取り付けられた器具本体３１とを備えている。照明器具３０は、様々な形態の器具本体３１に取り付け可能なＬＥＤユニット１０を備えた構成とすることができる。
【００６２】
照明器具３０は、図１７において、ＬＥＤユニット１０の発光部３ａから放射される直接光の進行方向を一点鎖線の矢印で例示している。照明器具３０では、カバー部材９が連結部９ｉに、発光部３ａから放射された光を散乱させる光散乱部９ｓを有していることで、壁表面５０ｂａでの輝度むらを、より少なくすることが可能となる。
【００６３】
次に、上述のＬＥＤユニット１０を用いた照明器具３０の変形例について、図１８および図１９を用いて説明する。
【００６４】
図１８および図１９に示す照明器具３０ｓは、上述のＬＥＤユニット１０と、ＬＥＤユニット１０が着脱自在に取り付けられた図１６とは別の器具本体３１ｓとを備えている。変形例の照明器具３０ｓは、器具本体３１ｓを有底角筒状の外形形状に形成させている。照明器具３０ｓは、器具本体３１ｓを金属製としている。器具本体３１ｓは、ＬＥＤユニット１０を着脱が自在に取り付けることができるように構成されている。器具本体３１ｓは、ベース１の挿通孔１ｂ１の各々に対応する部位に、取付ねじ１０ａを螺合する取付ねじ孔（図示せず）を形成している。
【００６５】
器具本体３１ｓは、ＬＥＤユニット１０が収納配置される有底角筒状のボディ部３１ａと、ボディ部３１ａの開口部を覆う蓋３１ｆとを有する。蓋３１ｆは、中央部に開口３１ｆａが形成されており、器具本体３１ｓの内部に収容したＬＥＤユニット１０からの光を外部に出射できるように構成されている。蓋３１ｆは、ＬＥＤユニット１０の周部を囲む円筒状の側部３１ｇを備えている。照明器具３０ｓは、側部３１ｇの反射面３１ｇａがＬＥＤユニット１０から出射された光の照射面の一部となる。
【００６６】
照明器具３０ｓでは、図１９において、ＬＥＤユニット１０の発光部３ａから放射される直接光の進行方向を一点鎖線の矢印で例示している。照明器具３０ｓは、カバー部材９が連結部９ｉに、発光部３ａから放射された光を散乱させる光散乱部９ｓを有していることで、照射面となる反射面３１ｇａでの輝度むらを、より少なくすることが可能となる。変形例の照明器具３０ｓでは、反射面３１ｇａでの見栄えや、反射面３１ｇａで反射された光の輝度むらを抑制することが可能となる。
【００６７】
（実施形態２）
図２０に示す本実施形態のＬＥＤユニット１０ｓは、図１に示すＬＥＤユニット１０の外形形状を変更した点が主として相違する。実施形態１と同様の構成には、同一の符号を付して説明は省略する。
【００６８】
本実施形態のＬＥＤユニット１０ｓでは、図２０に示すように、カバー部材９は、発光装置３に対向して配置される長尺状の光出射部９ｈと、対向する一対の側壁部９ｊと、光出射部９ｈと側壁部９ｊとを連結させる連結部９ｉとを備えた構成としている。カバー部材９は、一対の側壁部９ｊのみを備えた構成としてもよいし、光出射部９ｈを囲む４つの側壁部９ｊを備えた有底角筒状の外形形状としてもよい。カバー部材９は、断面視の形状を実施形態１と同様の形状とすることができる。
【００６９】
本実施形態のＬＥＤユニット１０ｓは、実施形態１のＬＥＤユニット１０と比較して、カバー部材９の形状を変更し、ベース１やホルダ２を長尺状にした構成としている。発光装置３は、ベース１の長手方向に沿った長尺状の構成としている。
【００７０】
本実施形態のＬＥＤユニット１０ｓは、実施形態１と同様に、ＬＥＤユニット１０ｓが取り付け可能な器具本体３１に取り付けることで、照明器具３０を構成することができる。
【符号の説明】
【００７１】
１  ベース
１ａａ  第１表面
２  ホルダ
２ｇ  内周壁
２ｍ  基部
３  発光装置
３ａ  発光部
９  カバー部材
９ｈ  光出射部
９ｊ  側壁部
９ｉ  連結部
９ｓ  光散乱部
９ａａ  外面
９ａｂ  内面
１０、１０ｓ  ＬＥＤユニット
３０、３０ｓ  照明器具
３１、３１ｓ  器具本体
【図１】
0006331193.tif 000002
【図２】
0006331193.tif 000003
【図３】
0006331193.tif 000004
【図４】
0006331193.tif 000005
【図５】
0006331193.tif 000006
【図６】
0006331193.tif 000007
【図７】
0006331193.tif 000008
【図８】
0006331193.tif 000009
【図９】
0006331193.tif 000010
【図１０】
0006331193.tif 000011
【図１１】
0006331193.tif 000012
【図１２】
0006331193.tif 000013
【図１３】
0006331193.tif 000014
【図１４】
0006331193.tif 000015
【図１５】
0006331193.tif 000016
【図１６】
0006331193.tif 000017
【図１７】
0006331193.tif 000018
【図１８】
0006331193.tif 000019
【図１９】
0006331193.tif 000020
【図２０】
0006331193.tif 000021